(57)【要約】【課題】データの漏洩を防止できるデータ送信システム及びデータ送信端末を提供する。【解決手段】受注端末１０に画像データとプリント注文データを入力する。入力されたデータは受注端末１０の記憶部４２に記録され、データ送信指示が入力されると、受注端末１０からサーバ１００にデータが送信される。受注端末１０から送信したデータが全てサーバ１００に受信されると、サーバ１００から受注端末１０に受信完了通知が送信される。受注端末１０で受信完了通知が受信されると、受注端末１０の記憶部４２に記録された全データが削除される。【選択図】      図５
2007034596.tif 000002
【特許請求の範囲】
【請求項１】
端末にデータを入力し、入力されたデータを該端末に備えられた記憶手段に記録し、該記憶手段に記録されたデータを送信指示に応じて前記端末からサーバに一括して送信するデータ送信システムにおいて、
前記サーバは、前記端末から一括して送信されたデータを全て受信すると、前記端末に受信完了通知を送信する受信完了通知送信手段を備え、
前記端末は、前記記憶手段に記録されたデータを前記サーバに送信後、前記サーバから前記受信完了通知を受信すると、前記記憶手段に記録されているデータを全消去する消去手段を備えたことを特徴とするデータ送信システム。
【請求項２】
前記サーバから前記受信完了通知を受信すると、前記データの送信が完了したことを通知する送信完了通知手段を前記端末に備えたことを特徴とする請求項１に記載のデータ送信システム。
【請求項３】
前記端末は、
画像データを入力する画像データ入力手段と、
前記画像データ入力手段から入力された画像データのプリント注文データを入力するプリント注文データ入力手段と、
を備え、前記画像データ入力手段から入力された画像データと、前記プリント注文データ入力手段から入力されたプリント注文データを前記記憶手段に記憶することを特徴とする請求項１又は２に記載のデータ送信システム。
【請求項４】
前記端末に前記画像データ入力手段から入力されたデータを表示する表示手段を備えたことを特徴とする請求項２に記載のデータ送信システム。
【請求項５】
入力されたデータを記憶手段に記録し、該記憶手段に記録されたデータを送信指示に応じてサーバに一括して送信するデータ送信端末において、
前記記憶手段に記録されたデータを前記サーバに送信後、前記サーバから送信される受信完了通知を受信すると、前記記憶手段に記録されているデータを全消去する消去手段を備えたことを特徴とするデータ送信端末。
【請求項６】
前記サーバから前記受信完了通知を受信すると、前記データの送信が完了したことを通知する送信完了通知手段を備えたことを特徴とする請求項５に記載のデータ送信端末。
【請求項７】
画像データを入力する画像データ入力手段と、
前記画像データ入力手段から入力された画像データのプリント注文データを入力するプリント注文データ入力手段と、
を備え、前記画像データ入力手段から入力された画像データと、前記プリント注文データ入力手段から入力されたプリント注文データを前記記憶手段に記憶することを特徴とする請求項５又は６に記載のデータ送信端末。
【請求項８】
前記画像データ入力手段から入力されたデータを表示する表示手段を備えたことを特徴とする請求項７に記載のデータ送信端末。
【発明の詳細な説明】
【技術分野】
【０００１】
本発明は、データ送信システム及びデータ送信端末に係り、特に画像データのプリント注文を端末で受け付け、そのプリントの注文のデータをサーバに送信するデータ送信システム及びデータ送信端末に関する。
【背景技術】
【０００２】
画像をデジタルデータとして記録するデジタルカメラは、撮影した画像をその場ですぐに確認することができるという利点がある。
【０００３】
このようなデジタルカメラの利点を利用した写真販売システムとして、特許文献１には、団体旅行などの参加者が、実際の画像を確認した上で画像のプリント注文を行えるようにした写真販売システムが提案されている。この写真販売システムでは、デジタルカメラで撮影した画像を受注装置に取り込み、取り込んだ画像を受注装置に備えられた画像表示装置に画像を表示させて、旅行参加者からのプリント注文を受け付ける。写真販売業は、この受注装置に入力されたプリント注文データを基にプリントを作成し、注文した旅行者に引き渡す。
【特許文献１】特開２００３−２２３５０４号公報
【発明の開示】
【発明が解決しようとする課題】
【０００４】
ところで、上記のような受注装置は、何度も使い回しされるのが一般的であるが、一度入力されたデータは、受注装置の提供者が積極的に削除しない限り装置内に残されたままとなる。このため、消し忘れなどが生じると、無関係の人物に画像の閲覧等が可能になり、個人情報が外部に流出する危険性がある。
【０００５】
本発明は、このような事情に鑑みてなされたもので、データの漏洩を防止できるデータ送信システム及びデータ送信端末を提供することを目的とする。
【課題を解決するための手段】
【０００６】
請求項１に係る発明は、前記目的を達成するために、端末にデータを入力し、入力されたデータを該端末に備えられた記憶手段に記録し、該記憶手段に記録されたデータを送信指示に応じて前記端末からサーバに一括して送信するデータ送信システムにおいて、前記サーバは、前記端末から一括して送信されたデータを全て受信すると、前記端末に受信完了通知を送信する受信完了通知送信手段を備え、前記端末は、前記記憶手段に記録されたデータを前記サーバに送信後、前記サーバから前記受信完了通知を受信すると、前記記憶手段に記録されているデータを全消去する消去手段を備えたことを特徴とするデータ送信システムを提供する。
【０００７】
請求項１に係る発明によれば、端末からサーバにデータを送信し、全データがサーバに受信されると、サーバから端末に受信完了通知が送信され、その受信完了通知が端末で受信されると、記憶手段に記録されているデータが消去される。これにより、送信後のデータの消し忘れを防止でき、データの漏洩を確実に防止できる。また、同一データが端末とサーバの双方に記録されて、端末の記憶容量を圧迫するのを効果的に抑止できる。
【０００８】
請求項２に係る発明は、前記目的を達成するために、前記サーバから前記受信完了通知を受信すると、前記データの送信が完了したことを通知する送信完了通知手段を前記端末に備えたことを特徴とする請求項１に記載のデータ送信システムを提供する。
【０００９】
請求項２に係る発明によれば、請求項１に係る発明において、端末がサーバから受信完了通知を受信すると、送信完了通知手段によってデータの送信が完了したことが通知される。
【００１０】
請求項３に係る発明は、前記目的を達成するために、前記端末は、画像データを入力する画像データ入力手段と、前記画像データ入力手段から入力された画像データのプリント注文データを入力するプリント注文データ入力手段と、を備え、前記画像データ入力手段から入力された画像データと、前記プリント注文データ入力手段から入力されたプリント注文データを前記記憶手段に記憶することを特徴とする請求項１又は２に記載のデータ送信システムを提供する。
【００１１】
請求項３に係る発明によれば、端末には、データとして画像データとプリント注文データが入力され、記憶手段に記録される。したがって、端末からサーバには、画像データとプリント注文データが送信される。
【００１２】
請求項４に係る発明は、前記目的を達成するために、前記端末に前記画像データ入力手段から入力されたデータを表示する表示手段を備えたことを特徴とする請求項２に記載のデータ送信システムを提供する。
【００１３】
請求項４に係る発明によれば、端末に表示手段が備えられ、その表示手段に画像データ入力手段から入力された画像が表示される。これにより、プリント注文を容易に行うことができる。
【００１４】
請求項５に係る発明は、前記目的を達成するために、入力されたデータを記憶手段に記録し、該記憶手段に記録されたデータを送信指示に応じてサーバに一括して送信するデータ送信端末において、前記記憶手段に記録されたデータを前記サーバに送信後、前記サーバから送信される受信完了通知を受信すると、前記記憶手段に記録されているデータを全消去する消去手段を備えたことを特徴とするデータ送信端末を提供する。
【００１５】
請求項５に係る発明によれば、サーバにデータを送信後、受信完了通知をサーバから受信すると、記憶手段に記録されているデータが消去される。これにより、送信後のデータの消し忘れを防止でき、データの漏洩を確実に防止できる。また、同一データが端末とサーバの双方に記録されて、端末の記憶容量を圧迫するのを効果的に抑止できる。
【００１６】
請求項６に係る発明は、前記目的を達成するために、前記サーバから前記受信完了通知を受信すると、前記データの送信が完了したことを通知する送信完了通知手段を備えたことを特徴とする請求項５に記載のデータ送信端末を提供する。
【００１７】
請求項６に係る発明によれば、請求項５に係る発明において、サーバから受信完了通知を受信すると、送信完了通知手段によってデータの送信が完了したことが通知される。
【００１８】
請求項７に係る発明は、前記目的を達成するために、画像データを入力する画像データ入力手段と、前記画像データ入力手段から入力された画像データのプリント注文データを入力するプリント注文データ入力手段と、を備え、前記画像データ入力手段から入力された画像データと、前記プリント注文データ入力手段から入力されたプリント注文データを前記記憶手段に記憶することを特徴とする請求項５又は６に記載のデータ送信端末を提供する。
【００１９】
請求項７に係る発明によれば、データとして画像データとプリント注文データが入力され、記憶手段に記録される。したがって、端末からサーバには、画像データとプリント注文データが送信される。
【００２０】
請求項８に係る発明は、前記目的を達成するために、前記画像データ入力手段から入力されたデータを表示する表示手段を備えたことを特徴とする請求項７に記載のデータ送信端末を提供する。
【００２１】
請求項８に係る発明によれば、表示手段に画像データ入力手段から入力された画像が表示される。これにより、プリント注文を容易に行うことができる。
【発明の効果】
【００２２】
本発明に係るデータ送信システム及びデータ送信端末によれば、データの漏洩を防止することができる。また、同一データが端末とサーバの双方に記録されて、端末の記憶容量を圧迫するのを効果的に抑止できる。
【発明を実施するための最良の形態】
【００２３】
以下、添付図面に従って本発明に係るデータ送信システム及びデータ送信端末を実施するための最良の形態について詳説する。
【００２４】
図１は、本発明が適用されたプリント注文システムのシステム構成図である。本実施の形態のプリント注文システム１は、たとえば団体旅行の参加者が、旅行中にデジタルカメラで撮影した画像をその場でプリント注文する際に使用するシステムとして構成され、プリント注文を受け付ける受注端末１０と、サーバ１００とで構成されている。旅行参加者は、自己が所有するデジタルカメラＤＣで撮影した画像を受注端末１０に入力し、プリントの注文を行う。受注端末１０の提供者（本例では写真販売業者とする）は、全ての旅行参加者からの注文を受け付けた段階で受注データ（この場合、画像データとプリントの注文データ）をサーバ１００に送信する。サーバ１００では、受け取った受注データに基づいてプリントを作成する。
【００２５】
図２は受注端末の外観構成を示す斜視図である。同図に示すように、受注端末１０は、矩形のボード状に形成されており、その上面にモニタ１２が設けられている。モニタ１２は、たとえばカラー液晶モニタで構成されており、その表面にタッチパネル１４が設けられている。ユーザは、このモニタ１２の表示に従ってモニタ１２の画面をスタイラス１６でタッチすることにより、必要な情報の入力を行う。
【００２６】
また、受注端末１０の上面には、電源スイッチ１８が設けられており、この電源スイッチ１８を操作して、受注端末１０の電源をＯＮ／ＯＦＦする。
【００２７】
受注端末１０の側面には、各種メモリカード２０を装填するためのメモリカードスロット２２が設けられており、このメモリカードスロット２２にメモリカード２０を装填して、プリントする画像データの読み込みを行う。
【００２８】
なお、サーバ１００は、一般的なコンピュータで構成され、モニタとプリンタを備えている。
【００２９】
図３は、受注端末とサーバの電気的構成を示すブロック図である。
【００３０】
まず、受注端末１０の電気的構成について説明する。図３に示すように、受注端末１０は、ＣＰＵ３０、ＲＯＭ３２、ＲＡＭ３４、表示部３６、操作部３８、データ入出力部４０、記憶部４２、通信部４４等で構成されている。
【００３１】
受注端末１０は、全体の動作をＣＰＵ３０によって統括制御されており、ＣＰＵ３０は、操作部３８からの入力に基づき所定の制御プログラムに従って受注端末１０の各部を制御する。ＲＯＭ３２には、このＣＰＵ３０が実行する制御プログラムの他、制御に必要な各種データが記録されており、ＲＡＭ３４は、ＣＰＵ３０の作業領域として使用される。
【００３２】
表示部３６は、上記モニタ１２を含み、ＣＰＵ３０からの指令に従ってモニタ１２に所定の情報を表示する。
【００３３】
操作部３８は、上記タッチパネル１４及び電源スイッチ１８を含み、その操作情報をＣＰＵ３０に出力する。
【００３４】
データ入出力部４０は、上記メモリカードスロット２２を含み、各メモリカードスロット２２に装填されたメモリカード２０に対してデータの読み書きを行う。
【００３５】
記憶部４２は、ハードディスクドライブ（ＨＤＤ）で構成され、データ入出力部４０から入力された画像データや操作部３８から入力されたプリント注文データ等が格納される。
【００３６】
通信部４４は、ＣＰＵ３０の指令に応じてサーバ１００との間でデータの送受信を行う。ここでは、無線ＬＡＮによってサーバ１００と通信するものとする。
【００３７】
次に、サーバ１００の電気的構成について説明する。図３に示すように、サーバ１００は、ＣＰＵ１０２、システムメモリ１０４、操作部１０６、記憶部１０８、通信部１１０、モニタ１２０、プリンタ１３０等で構成されている。
【００３８】
サーバ１００は、全体の動作をＣＰＵ１０２によって統括制御されており、ＣＰＵ１０２は、操作部１０６からの入力に基づき所定の制御プログラムに従ってサーバ１００の各部を制御する。
【００３９】
システムメモリ１０４は、ＲＯＭ及びＲＡＭからなり、ＣＰＵ１０２の作業領域として使用されるほか、各種制御に必要なデータが格納される。
【００４０】
操作部１０６は、キーボード及びマウスからなり、ユーザの操作情報をＣＰＵ１０２に出力する。
【００４１】
記憶部１０８は、ハードディスクドライブ（ＨＤＤ）で構成され、ＯＳの他、プリントデータを生成するためのアプリケーションプログラム、通信プログラム、受注端末１０から受信した受注データ等が記録される。
【００４２】
通信部１１０は、ＣＰＵ３０の指令に応じて受注端末１０との間でデータの送受信を行う。
【００４３】
モニタ１２０は、たとえばカラー液晶モニタで構成され、ＣＰＵ１０２からの指令に応じて所定の情報を表示する。
【００４４】
プリンタ１３０は、ＣＰＵ１０２からの指令に応じてプリントデータを所定の印画紙にプリントする。このプリンタ１３０は、たとえばインクジェットプリンタやサーマルプリンタ、レーザプリンタ等が用いられる。
【００４５】
次に、上記のように構成された本実施の形態のプリント注文システム１によるプリント注文からプリント作成までの処理について説明する。
【００４６】
なお、以下においては、団体旅行の企画者（又は写真販売業者）が、団体旅行の参加者から一括して画像プリントの注文を受け付ける場合を例に説明する。この場合、企画者は、一台（旅行の参加人数によっては複数台）の受注端末１０を旅行参加者に順に貸与してプリント注文を受け付ける。
【００４７】
まず、最初の旅行参加者に受注端末１０を貸与して、プリント注文を行ってもらう。図４（ａ）は、受注端末１０のモニタ１２に表示されるメニュー画面を示している。同図に示すように、「プリント注文」と「データ送信」の処理を選択できるようにされており、プリント注文を行う場合は、「プリント注文」のボタンをタッチする。以下、受注端末１０において、プリント注文の処理が実行される。
【００４８】
図５は、受注端末１０の処理手順を示すフローチャートである。受注端末１０のＣＰＵ３０は、タッチパネル１４からの入力に基づいてプリント注文の処理が選択されたか否か判定する（ステップＳ１０）。プリント注文の処理が選択されたと判定すると、画像データの入力処理を行う（ステップＳ１１）。画像データの入力は、メモリカードスロット２２から行われる。参加者は、プリントする画像データが格納されたメモリカード２０をメモリカードスロット２２に装填し、画像データの読み出しを指示する。
【００４９】
画像の読み出しの指示は、タッチパネル１４で行われ、参加者は、モニタ１２に表示される所定の案内に従って画像の読み出し指示を入力する。図４（ｂ）は、画像の読み出しの指示画面の表示例を示しており、メニュー画面で「プリント注文」の処理を選択すると、この画面がモニタ１２に表示される。参加者は、この画面に表示された「読み出し実行」のボタンをタッチして、メモリカード２０から画像データの読み出しを指示する。
【００５０】
このようにして、タッチパネル１４から読み出し実行が指示されると、受注端末１０のＣＰＵ３０は、メモリカード２０から画像データを読み出し、読み出した画像データを記憶部４２に格納する。
【００５１】
メモリカード内の全画像データが記憶部４２に取り込まれると、受注端末１０のＣＰＵ３０は、プリント注文の受け付け処理を開始する（ステップＳ１２）。プリント注文の受け付けは、記憶部４２に取り込んだ画像データをモニタ１２に表示させ、タッチパネル１４から必要な情報を入力して行われる。
【００５２】
図６は、プリント注文時における受注端末１０のモニタ１２の表示例を示している。同図（ａ）に示すように、モニタ画面は、サムネイル表示領域Ａと拡大表示領域Ｂと注文入力領域Ｃとで構成される。サムネイル表示領域Ａには、メモリカード２０から読み出した画像の縮小画像（サムネイル画像）が表示され、このサムネイル表示領域Ａに表示されたサムネイル画像の中から選択した一の画像が拡大表示領域Ｂに拡大表示される。そして、この拡大表示領域Ｂに表示された画像に対して注文入力領域Ｃでプリントの注文が行われる。
【００５３】
プリント注文領域Ｃには、プリント枚数入力欄とプリントサイズ入力欄が用意されており、このプリント枚数入力欄とプリントサイズ入力欄に所望のプリント枚数とプリントサイズを入力して、拡大画像表示領域Ｂに表示された画像のプリント注文の入力を行う。なお、入力は各入力欄の横に表示されるタブをスタイラス１６でタッチすると、入力可能な枚数、サイズがプルダウン表示され、このプルダウン表示された枚数、サイズをスタイラス１６でタッチして、所望のプリント枚数、プリントサイズを入力する。
【００５４】
また、サムネイル表示領域Ａに表示されたサムネイル画像の選択は、サムネイル表示領域Ａに表示されたサムネイル画像をスタイラス１６でタッチすることにより行われる。
【００５５】
また、サムネイル表示領域には、一度に３コマの画像が表示され、両サイドに表示されたコマ送り／コマ戻しボタンをスタイラス１６でタッチすることにより、表示画像が１コマずつコマ送り／コマ戻しされる。
【００５６】
参加者は、必要な画像に対するプリント注文の入力処理が終了すると、プリント注文領域Ｃに設けられた「終了」ボタンをタッチし、プリント注文の入力処理を終了する。「終了」ボタンがタッチされると、図６（ｂ）に示すように、モニタ１２の表示が、ＩＤ番号の入力画面に切り替わり、参加者は、このモニタ１２の表示に従って、ＩＤ番号の入力処理を行う。このＩＤ番号は、注文者を識別するためのもので、あらかじめ各参加者に付与しておく。なお、この処理に代えて住所、氏名、電話番号等を入力するようにしてもよい。
【００５７】
ＩＤ番号の入力が完了すると、一人目のプリントの注文処理は完了する。受注端末１０のＣＰＵ３０は、入力されたプリント注文情報に基づいて受注データ（プリントする画像データと、そのプリント枚数、サイズ等のプリント注文データ）を作成する（ステップＳ１３）。また、ＣＰＵ３０は、モニタ１２の表示を図４（ａ）に示すメニュー画面に切り換える。
【００５８】
この後、受注端末１０のＣＰＵ３０は、タッチパネル１４の入力に基づいてメニュー画面で「データ送信」が選択されたか否かを判定する（ステップＳ１４）。データ送信が選択されていないと判定すると、ステップＳ１０の処理に戻り、プリント注文が選択されたか否かを判定し、プリント注文が選択されたと判定すると、上記のプリント注文の処理を実行する（ステップＳ１１〜Ｓ１３）。
【００５９】
このように、旅行企画者は、全旅行参加者からプリント注文の受け付けを行い、全てのプリント注文の受け付けを完了した段階でデータ送信を実行する。すなわち、図４（ａ）に示すメニュー画面でデータ送信を選択する。
【００６０】
受注端末１０のＣＰＵ３０は、上記ステップＳ１４でデータ送信が選択されたと判定すると、記憶部４２に格納されている全受注データをサーバ１００に一括送信する（ステップＳ１５）。すなわち、通信部４４を介して記憶部４２に格納されている受注データをサーバ１００の通信部１１０に送信する。
【００６１】
図７は、受注データを受信したサーバ１００の処理動作の手順を示すフローチャートである。同図に示すように、受注端末１０から受注データの受信を開始すると（ステップＳ２０）、サーバ１００のＣＰＵ１０２は、全受注データの受信が完了したか否か判定する（ステップＳ２１）。そして、全受注データの受信が完了したと判定すると、受注端末１０に受信完了通知を送信する（ステップＳ２２）。この後、サーバ１００は、受注データに基づきプリントデータを作成し（ステップＳ２３）、注文されたサイズ、枚数で画像をプリントする（ステップＳ２４）。旅行企画者は、この作成されたプリントを注文者に引き渡す。
【００６２】
一方、図５に示すように、受注端末１０のＣＰＵ３０は、サーバ１００に受注データを送信すると、通信部４４で受信完了通知が受信されたか否か判定する（ステップＳ１６）。そして、サーバ１００から送信された受信完了通知が通信部４４で受信されたと判定すると、記憶部４２に記録されている全データを削除する（ステップＳ１７）。すなわち、各旅行参加者から入力された画像データ、注文データ等のデータを全て消去する。そして、図８に示すように、データの消去後、受注データの送信が完了した旨、及び、データを消去した旨のメッセージをモニタ１２に表示させる。
【００６３】
このように本実施の形態のプリント注文システムによれば、受注端末１０でプリント注文の受け付け後、サーバ１００に受注データを送信すると、受注端末１０は記憶部４２内のデータを削除するので、受注端末１０を使い回しする場合であっても、情報が漏洩することがない。また、受注データの送信後、データを削除することにより、記憶部４２の効率よく使用することができる。さらに、次回使用時に記憶部４２の記憶容量を確保しておくという手間が省け、使い勝手を向上させることができる。
【００６４】
なお、本実施の形態では、受注データの送信後、サーバ１００から送られてくる受信完了通知の受信を待って記憶部内のデータを消去するようにしているが、記憶部内のデータを消去するタイミングは、これに限定されるものではない。次回使用時までに確実に消去できれば、どのタイミングで消去するようにしてもよい。たとえば、サーバ１００にデータ送信後、ただちに消去するようにしてもよい。データ送信後、一定時間経過後に消去するようにしてもよい。また、所定の操作時に消去するようにしてもよい。たとえば、データ送信後、次のプリント注文開始時に消去するようにしてもよいし、また、次回使用する時の電源投入時に消去するようにしてもよい。さらに、パスワードの入力によって消去するようにしてもよいし、画像を確認しながら消去するようにしてもよい。
【００６５】
また、本実施の形態では、データの送信完了及び消去完了をモニタ１２に表示してユーザに知らせるようにしているが、音や光、振動等で知らせるようにしてもよい。
【００６６】
また、本実施の形態では、受注端末１０の画像データを入力する手段として、メモリカードスロット２２を用いているが、受注端末に画像データを入力する手段は、これに限定されるものではない。この他、たとえば、受注端末１０とデジタルカメラ等とを通信ケーブル（ＵＳＢ、ＩＥＥＥ１９３４等）で接続し、デジタルカメラ等から直接受注端末１０に画像データを入力するようにしてもよい。また、ブルートゥースや赤外線通信、無線ＬＡＮ等の無線通信手段を用いてデジタルカメラ等から受注端末１０に画像データを入力するようにしてもよい。また、受注端末１０の操作手段もタッチパネルに限らず、キーボード等の他の操作手段を用いてもよい。
【００６７】
さらに、受注端末１０とサーバ１００との間の通信手段も特に限定されるものではなく、有線による通信手段を用いてもよいし、公衆回線やインターネットを利用した通信手段を用いてもよい。
【００６８】
また、本実施の形態では、専用の受注端末を用意しているが、通信機能を備えたノートパソコンやＰＤＡ等に所定のプログラムを実行させて、上記受注端末１０と同じ機能を実現させるようにしてもよい。
【００６９】
また、本実施の形態では、サーバ１００にプリンタ１３０が備えられているが、サーバ１００はデータの受信のみを行い、プリントデータの生成及びプリント処理は、他の装置で行うようにしてもよいい。
【００７０】
また、上記実施の形態では、本発明をプリント注文システムに適用した場合を例に説明したが、本発明の適用は、これに限定されるものではない。端末にデータを入力し、端末を介してサーバにデータを送信するデータ送信システム全てに適用することができる。
【図面の簡単な説明】
【００７１】
【図１】本発明が適用されたプリント注文システムのシステム構成図
【図２】受注端末の外観構成を示す斜視図
【図３】受注端末とサーバの電気的構成を示すブロック図
【図４】受注端末のモニタの表示例を示す図
【図５】受注端末の処理手順を示すフローチャート
【図６】受注端末のモニタの表示例を示す図
【図７】サーバの処理手順を示すフローチャート
【図８】受注端末のモニタの表示例を示す図
【符号の説明】
【００７２】
１…プリント注文システム、１０…受注端末、１２…モニタ、１４…タッチパネル、１６…スタイラス、１８…電源スイッチ、２０…メモリカード、２２…メモリカードスロット、３０…ＣＰＵ、３２…ＲＯＭ、３４…ＲＡＭ、３６…表示部、３８…操作部、４０…データ入出力部、４２…記憶部、４４…通信部、１００…サーバ、１０２…ＣＰＵ、１０４…システムメモリ、１０６…操作部、１０８…記憶部、１１０…通信部、１２０…モニタ、１３０…プリンタ、ＤＣ…デジタルカメラ
【図１】
2007034596.tif 000003
【図２】
2007034596.tif 000004
【図３】
2007034596.tif 000005
【図４】
2007034596.tif 000006
【図５】
2007034596.tif 000007
【図６】
2007034596.tif 000008
【図７】
2007034596.tif 000009
【図８】
2007034596.tif 000010